(57)【要約】【課題】発熱ユニットの組付けにおける品質水準を向上し、廃品をなくすことにある。【解決手段】本発明は特に自動車用のシガーライター発熱部（Ｈ）のハウジング（Ｇ）を設けた基体を固定するユニット（Ｂ）に関する。本発明の固定ユニット（Ｂ）は前記発熱部（Ｈ）を作動させるボタン（３）を固定するために用いられる。前記固定ユニット（Ｂ）は前記発熱部（Ｈ）の前記基体の前記ハウジング（Ｇ）に取付け可能な固定部材（１）と前記ボタン（３）を取付けるためのアダプター（２）を具備し、前記アダプター（２）は前記固定部材（１）に調節可能に挿入され該固定部材に対し軸方向に変位可能に案内される。前記固定ユニット（Ｂ）は前記発熱部の組付け作業の最後の工程において前記ボタン（３）を取付け可能にしこれにより装飾部品として具現化される該ボタン（３）を組付け過程の際に生じる機械的応力に露出すること無く組付け作業による前記ボタン（３）の損傷を防止する。【選択図】図２
2008528376.tif 000002
【特許請求の範囲】
【請求項１】
ハウジング（Ｇ）を有し、シガーライターの構成要素である発熱ユニット（Ｈ）を作動させるために用いられるノブ（３）を取付けるための、該発熱ユニット（Ｈ）の本体用取付けユニットにおいて、
前記発熱ユニット（Ｈ）の前記本体の前記ハウジング（Ｇ）に取付け可能な取付部材（１）と、
前記ノブ（３）を取付けるためのアダプター（２）と、を具備し、
前記アダプター（２）は、前記取付部材（１）に精密嵌合として挿入され、かつ該取付部材に対して軸方向に変位可能に案内されることを特徴とする取付けユニット。
【請求項２】
前記発熱ユニット（Ｈ）の前記本体の前記ハウジング（Ｇ）に取付けられる前記取付部材（１）は、係合挿入するための係合手段として少なくとも、一つの切り欠き（Ａ１）を有することを特徴とする請求項１に記載の取付けユニット。
【請求項３】
前記取付部材（１）は、前記ノブ側端部において、全周にわたりリップ状に湾曲されていることを特徴とする請求項１または２に記載の取付けユニット。
【請求項４】
前記取付部材（１）は、一体構成であり、略回転対称に形成されていることを特徴とする請求項１または２に記載の取付けユニット。
【請求項５】
前記アダプター（２）は、一体構成であり、略回転対称に形成されていることを特徴とする請求項１に記載の取付けユニット。
【請求項６】
前記アダプター（２）の複数の断面は、異なる直径であることを特徴とする請求項５に記載の取付けユニット。
【請求項７】
前記アダプター（２）は、前記ノブ側端部において、略円筒形の差込み部（２ａ）を有することを特徴とする請求項６に記載の取付けユニット。
【請求項８】
前記アダプター（２）の前記差込部（２ａ）は、前記ノブ（３）を受けるために、前記軸方向の少なくとも一つの溝（４）が設けられていることを特徴とする請求項７に記載の取付けユニット。
【請求項９】
前記発熱ユニット（Ｈ）の前記本体への取付けのために、前記アダプター（２）は前記差込み部（２ａ）との反対側端部がリング（２ｂ）形状をなし、該差込み部（２ａ）と該リング（２ｂ）の間に仕切り（２ｃ）があることを特徴とする請求項７又は８に記載の取付けユニット。
【請求項１０】
前記アダプター（２）の前記仕切り（２ｃ）は、前記ノブ（３）を取付けるために、半径方向の少なくとも一つの切り欠き（５）が設けられることを特徴とする請求項９に記載の取付けユニット。
【請求項１１】
前記アダプター（２）は、前記リング端において、前記発熱ユニット（Ｈ）の前記本体を受けるために中央凹部（Ａ２）を有することを特徴とする請求項９又は１０に記載の取付けユニット。
【請求項１２】
前記取付部材（１）及び前記アダプター（２）の両方は、可塑性材料の射出成形品であることを特徴とする請求項１乃至１１の一つに記載の取付けユニット。
【請求項１３】
前記射出成形品の前記可塑性材料は、熱可塑性材料であることを特徴とする請求項１乃至１２の一つに記載の取付けユニット。
【請求項１４】
取付けユニット（Ｂ）に被嵌可能で、かつ該取付けユニット（Ｂ）に取付け可能な形態である取付けユニット（Ｂ）に取付けられるノブ。
【請求項１５】
前記ノブは、前記取付けユニット（Ｂ）に係合挿入により取付け可能であることを特徴とする請求項１５に記載のノブ。
【請求項１６】
前記ノブは、一体構成であり、略回転対称に形成されていることを特徴とする請求項１４又は１５に記載のノブ。
【請求項１７】
前記ノブは、前記アダブター側端部において、前記取付けユニット（Ｂ）に取付けるための手段を有する平面接触面（３ａ）を有することを特徴とする請求項１４乃至１６の一つに記載のノブ。
【請求項１８】
前記取付けユニット（Ｂ）に前記ノブを取付けるための手段は、少なくもと一つの係合ノーズ（７）を有することを特徴とする請求項１７に記載のノブ。
【請求項１９】
前記ノブは、前記アダプター（２）の前記差込み部（２ａ）に被嵌するための凹部（Ａ３）を有する中空体形状であることを特徴とする請求項１８に記載のノブ。
【請求項２０】
前記凹部（Ａ３）は、略円筒形であることを特徴とする請求項１９に記載のノブ。
【請求項２１】
前記凹部（Ａ３）は、少なくとも一つの溝（４）に挿入される軸方向に延びる少なくとも一つのスプライン（６）を有することを特徴とする請求項２０に記載のノブ。
【請求項２２】
前記ノブは、可塑性材料の射出成形品であることを特徴とする請求項１４乃至２１の一つに記載のノブ。
【請求項２３】
前記ノブの前記射出成形品の可塑性材料は、熱可塑性材料であることを特徴とする請求項２２に記載のノブ。
【請求項２４】
請求項１乃至１３の一つに記載の取付けユニット（Ｂ）と請求項１４乃至２３の一つに記載のノブ（３）を含み、該ノブ（３）は、前記取付けユニット（Ｂ）の前記アダプター（２）に取付けられることを特徴とする配置。
【請求項２５】
前記ノブ（３）は、前記取付けユニット（Ｂ）の前記アダプター（２）に係合挿入により取付けられることを特徴とする請求項２４に記載の配置。
【発明の詳細な説明】
【技術分野】
【０００１】
本発明は、特に自動車用電気シガーライターの構成要素である発熱ユニットの本体用取付けユニットに関する。本発明による取付けユニットは、シガーライターの発熱ユニットを作動するノブの取付けに用いられる。本発明は当該取付けユニットへ取付けの為のこの種のノブにも関する。
【背景技術】
【０００２】
基本的に、従来の自動車で用いられる電気シガーライターは、電導性を有するスリーブ形態のソケットと、該ソケットに引き出し可能に設けられる発熱ユニットを有する。この種のシガーライターは、固定された壁部、例えば、自動車のダッシュボード、或はセンターコンソールに配置され、接続部材により自動車の電気系に接続される。
【０００３】
発熱ユニットを作動させるためにノブが用いられるが、このノブが特殊ロゴと組合わされたノブの特殊形状を含む、自動車メーカー固有のデザインのものであれば、自家用車の内装のスタイリングに寄与する事が出来る。従来の発熱ユニットは、発熱ユニットを一度組み付けるとノブの交換が出来ないように構成されている。このため、発熱ユニットを組み付ける際にノブを損傷させないことが重要である。仮に、ノブに損傷があると、製造者にとっては比較的高価な製品である、この種の発熱ユニットは、スクラップとして破棄しなければならない。
【０００４】
この種の発熱ユニットの組付けは、複数の工程よりなり、周知のごとく、この際、ノブを始めとし、発熱ユニットのすべての部品を順次取付けなければならない。
【０００５】
発熱ユニットの組付けの際、機械的応力が生じ、またノブはこれらの応力に最初から露出されているので、組付け途中でのノブへの損傷の可能性を排除することは不可能である。そのため、高度な品質水準を達成するのは難しい。
【発明の開示】
【発明が解決しようとする課題】
【０００６】
本発明の目的は、この種の発熱ユニットの組付けにおける品質水準を向上し、廃品をなくすことにある。
【課題を解決するための手段】
【０００７】
上記目的は、請求項１及び１５に記載の特徴により本発明により達成される。
【０００８】
本発明による、電気シガーライターの構成要素である発熱ユニットの本体の取付けユニットは、前記発熱ユニットを作動させる為の、本発明のノブを取付けるために用いられる。本発明によれば、前記取付けユニットは、前記発熱ユニットの前記本体の前記ハウジングに取付け可能な取付部材と、本発明によるノブを取付けるためのアダプターとを具備し、該アダプターは該取付部材に精密嵌合として挿入され、該取付部材に対し軸方向に変位可能に案内される。本発明による、前記取付けユニットに取付けるための前記ノブは、該取付けユニットに被嵌し、該取付けユニットに対し取付け可能な形態を有する。
【０００９】
本発明の好適実施例においては、前記取付部材は一体構成かつ、略回転対称に構成され、前記本体の前記ハウジングへの取付けのために、係合手段が係合する複数の切り欠きを有する。前記取付部材は二つの直径方向に対向する切り欠きを備える事が好ましい。また、前記取付部材は箱形形状であってもよい。
【００１０】
鍔部を形成する為に、前記取付部材は前記ノブ側端部の全周に渡り湾曲されリップ形状に形成することが好ましい。前記発熱ユニットが固定壁に設けられたソケットに挿入状態にあるとき、この鍔部が該固定壁に当接する。或は、前記鍔部は円形ディスク状に構成することも可能である。
【００１１】
実用的には、精密嵌合として前記取付部材に挿入される前記アダプターは一体構成、かつ回転対称に構成され、この際、前記アダプターは複数の異なる直径をもち得る。
【００１２】
本発明の更なる好適実施例においては、前記アダプターは前記ノブ側端部において前記ノブを受ける略円筒形の差込み部の形態を有する。
【００１３】
前記差込み部に被嵌する前記ノブは、実用的には一体構成かつ略回転対称に構成される。また、前記ノブは実用的には、略円筒状の凹部を有する、中空体形状をなす。
【００１４】
本発明の更なる好適実施例においては、前記ノブを受けるために、前記アダプターの前記差込み部が軸方向に延びる少なくとも一つの溝を設けられる事が有効である。前記差込み部は互いに１２０度に配される前記軸方向の三つの溝を有することが好ましい。
【００１５】
前記ノブの前記凹部は実用的には、前記アダプターの前記少なくとも一つの溝に挿入される、前記軸方向の少なくとも１つのスプラインを有する。前記凹部は互いに１２０度に配される三つのプラインを有することが好ましい。
【００１６】
前記ノブは、係合或はスナップ留めにより、前記取付けユニットに取付け可能であることが好ましい。この場合、前記ノブは、少なくとも一つの係合ノーズ等の前記取付けユニットへの取付け手段が始まる平面接触面を前記アダプター側端部において、有することが可能である。
【００１７】
前記ノブは、互いに１２０度に配される三つの係合ノーズが設けられていることが好ましい。
【００１８】
前記発熱ユニットの前記本体への取付けの為に、前記アダプターは前記差込み部の反対の端部においてリング形状とでき、前記差込み部と前記リングの間に位置する、前記ノブを取付けるための、半径方向の少なくとも一つの切り欠きを設けられた仕切りである。前記仕切りは互いに１２０度に配される三つの切り欠きが設けられている事が好ましい。リング状の前記アダプターの一部は戻しバネを受けることが可能となり、この戻しバネは前記発熱ユニットの前記本体部の構成要素である、コイルバネばねの形態をなす。
【００１９】
前記アダプターは、リング端部に、接続ピンを受ける中央凹部も有する事が出来、この接続ピンも同様に前記発熱ユニットの前記本体の構成要素である。
【００２０】
前記取付部材及び前記アダプターの両方とも、可塑性材料の射出成形品であることが好ましく、考え得る可塑性材料としては、耐熱性熱可塑性材料であることが有効である。
【００２１】
前記ノブもまた、可塑性材料の射出成形品であることが好ましく、この場合、前記取付部材と同様に、考え得る可塑性材料としては、耐熱性熱可塑性材料であることが有効である。
【発明の効果】
【００２２】
本発明による取付けユニットにより発熱ユニットの組付けにおける品質水準が向上する。というのは、従来のノブと異なり、本発明による前記ノブは、組付け作業の最終工程でのみ取付け可能であるからである。これにより、自動車の内装部品としての前記ノブが組付け工程において生じる機械的応力に露出されることを防ぐ。このように組付け作業における各工程中の前記ノブの損傷の可能性は排除される。
【発明を実施するための最良の形態】
【００２３】
本発明の実施形態は以下の図面を参照して詳説される。
図１は、自動車の電気シガーライターの構成要素である発熱ユニットＨの二つの分解図を示す。前記シガーライターは、主に電導性を有するスリーブ（ここでは図示せず）形状のソケットと、前記発熱ユニットＨを含み、この発熱ユニットは前記ソケットに引き出し可能に配置される。前記シガーライターは例えば、自動車のダッシュボード、或はセンターコンソールにおける固定壁に配置される。前記シガーライターは、接続部材により前記自動車の電気系に接続される。
【００２４】
スリーブ形状の前記ソケットは、前記発熱ユニットＨを収納するために、前記固定壁の全面に当接する鍔部が設けられた開口端部を備える。前記スリーブ形状の前記ソケットは、前記開口端部の反対側端部に末端壁を有し、末端壁は軸方向に延びる二つのブレードをもつＵ字形の線条バイメタルを有する。各ブレードはそれぞれ保持ノーズをもち、これらの保持ノーズは互いに向き合って配置される。
【００２５】
前記線条バイメタルは、接続部材により電気的に正極端子に接続されるようになっており、一方、前記スリーブは負極端子（接地）に接続される。スリーブ形状の前記ソケットに、Ｕ字形の溝として形成され、かつ直径方向対称位置に配置された二つの保持突縁が、内部に配置された前記発熱ユニットＨを既定の位置に保持し、同時に該発熱ユニットを前記電導性スリーブに接続する。
【００２６】
図１に示す発熱ユニットは、ハウジングＧを有する略円筒形の本体を具備する。この本体は、上記発熱ユニットＨを作動させる為に使用される本発明に係るノブ３を取付けるための本発明に係る取付けユニットＢに接続される。
【００２７】
本発明に係る前記取付けユニットＢは、一体構成の取付部材１と一体構成のアダプター２とを含み、この取付部材は略回転対称であり、かつ、前記本体の前記ハウジングＧに係合挿入により取付けられ、また、アダプターは略回転対称であり、かつ前記取付部材１に精密嵌合として挿入され、この取付部材に対し軸方向に変位可能に案内される。本発明の前記ノブ３は一体構成であり、略回転対称であり、前記アダプター２に係合挿入により取付けられる。
【００２８】
前記本体の前記ハウジングＧと前記取付部材１は、該取付部材１に１２０度間隔で設けられた三つの矩形の切り欠きＡ１及び、該切り欠きＡ１に係合する、所謂、スナップ嵌合による係合突縁により、接続される。前記発熱ユニットＨが収納状態にあるときに固定壁に当接する鍔部を形成するために、前記取付部材１のノブ側端部は全周に渡り、リップ形状に湾曲される。
【００２９】
図２において、前記発熱ユニットは断面で示され、本発明に係る前記取付けユニットＢの前記取付部材１とアダプター２及び、本発明に係る前記ノブ３を示す。
【００３０】
基本的に、発熱ユニットＨは二つの部分からなり、即ち、スリーブ状の前記ソケットにおいて固定位置に設けられる部分と、ソケットに対し軸方向に可動に設けられる部分である。前者は前記取付部材１及び前記本体の前記ハウジングＧとにより構成され、後者は前記発熱ユニットＨのその他の構成を含む。
【００３１】
前記発熱ユニットＨの前記本体は、標準的な構造を構築し、キャップ９の内部に設けられる発熱体８と、ガイド１０と、シャフト１１と、前記アダプター２に本体を取付ける接続ピン１２とを含み、このシャフト１１は該接続ピン１２に保持されており、また更に、該アダプター２と該ガイド１０の間に配置される、コイルバネ１３の形の、戻しバネとを含む。
【００３２】
この種の前記本体構造は通常、当業者にとっては、先行技術より周知のものである。
【００３３】
通常位置において、発熱ユニットＨの可動部、つまり、とりわけ、発熱部８が設けられるカップ９は、前記線条バイメタルのブレードから距離をおいて配置される。すなわち、前記線条バイメタルとスリーブ状電導性ソケットとの間には電流が流れない。前記発熱部８を加熱するために、前記発熱ユニットＨの可動部、即ち、とりわけ前記発熱部８の前記カップ９が、前記ノブ３により、その通常位置から加熱位置に押圧され、押し下げられると、前記戻しバネ１３が圧縮される。可動部が軸方向前方に移動すると、前記カップ９がＵ字型に形成された前記線条バイメタルのブレードを拡げ、その際、前記カップ９が前記ブレード上の保持ノーズの下に潜り込み、この保持ノーズが、前記戻しバネ１３の作用に対向し、前記カップ９を押圧位置に保持する。前記カップ９は電気スィッチとして機能し、その所定位置への係合挿入により、前記線条バイメタルと前記スリーブ状電導性ソケット間を導通する。これにより、前記発熱部８がその抵抗により発熱する。前記発熱部８の発熱により、前記発熱部のカップ９に当接する該線条バイメタルの前記ブレードが外側へ膨張する。この発熱による励起下において前記ブレードが外側に膨張可能にするために、前記ソケットの前記スリーブは複数の横孔を有し、それらの孔を介して、前記ブレードが開拡することが出来る。ある一定の温度において前記戻しバネ１３が機能し、前記発熱部８の前記カップ９を線条バイメタルから分離可能にし、離脱位置に至り、電流を遮断する。運転者または前席の乗車者は前記発熱ユニットＨを引き出すだけでタバコ或は葉巻に火をつけることが出来る。
【００３４】
図３の上列に前記アダプター２、前記ノブ３、該ノブ３を取付けた前記アダプター２の各図を左から右に示す。また、図３の下列には前記アダプター２の平面図、前記ノブ３及び該ノブ３を取付けた前記アダプター２の底面図を左から右に示す。
【００３５】
前記アダプター２について言及すれば、見てわかるようにアダプターは直径の異なる複数の断面を有する。ノブ側端部において、前記アダプター２は略円筒形の差込み部２ａを有し、差込み部２ａの反対側端部においてはリング２ｂの態様をなし、また仕切り２ｃが前記差込み部２ａと前記リング２ｂの間に位置する。前記ノブ３を受けるために、前記差込み部２ａは互いに１２０度毎に配置される三つの溝４が軸方向に設けられる。前記ノブ３の取付けを可能にするために、前記アダプター２の仕切り２ｃは半径方向の三つの矩形の切り欠き５を有し、これらは互いに１２０度毎に配置される。前記本体の前記接続ピン１２を受けるために、前記アダプター２はリング端において、中央凹部Ａ２を有し、これは、図１の底面からの分解図に見る事が出来る。
【００３６】
前記ノブ３は前記アダプター側端部にいて平面接続面３ａを有し、これを始点にして三つの係合ノーズ７が形成され、これらのノーズ７が前記アダプター２の前記切り欠き５に取付け手段として係合する。上記三つの係合ノーズ７は互いに１２０度毎に配置される。ノブ３の底面からの図について言及すれば、前記差込み部２ａに被嵌する凹部Ａ３を有する中空形状をもつことがわかる。前記ノブ３はこの略円筒形の凹部Ａ３の内部に前記アダプター２の三つの前記溝４に挿入される三つのスプライン６を有し、これらのスプライン６は互いに１２０度毎に配置され、前記溝４に対応する。
【００３７】
図２の断面図において、前記ノブ３は前記取付けユニットＢの前記アダプター２に係合挿入により接続されることがわかる。ノブ３が係合状態にあるとき、前記係合ノーズ７が前記切り欠き５を貫通して前記仕切り２ｃに達し、前記アダプター２において円形状に張り出す内方突出ショルダー２ｄのうしろに嵌入する。前記ノブ３が取付けられた前記アダプター２の底面図において、前記係合ノーズ７は係合状態にあることがわかる。
【００３８】
本発明の前記取付けユニットの前記取付部材１及び前記アダプター２及び、本発明の前記ノブ３は可塑性材料の射出成形品であり、その可塑性材料は耐熱性熱可塑性材料である。
【図面の簡単な説明】
【００３９】
【図１】本発明の取付けユニット及び本発明のノブを具備する、本発明によるシガーライターの構成要素である発熱ユニットの二つの分解図を示す。
【図２】発熱ユニットの断面図であり、本発明の取付部材及び取付けユニットのアダプターを示し、本発明のノブは該アダプターに取付けられる。
【図３】アダプター、ノブ及び、ノブが取付けられたアダプターの図である。
【図１】
2008528376.tif 000003
【図２】
2008528376.tif 000004
【図３】
2008528376.tif 000005
【国際調査報告】
2008528376.tif 000006
2008528376.tif 000007
2008528376.tif 000008
2008528376.tif 000009